(57)【要約】本発明の装置は、ベースレイヤビデオ符号化信号とエンハンスメントレイヤのビデオ符号化信号とを有するスケーラブルビデオ符号化（ＳＶＣ）信号を供給するため、ビデオ信号をエンコードし、ベースレイヤビデオ符号化信号は、エンハンスメントレイヤビデオ符号化信号よりも多くのランダムアクセスポイントを有する。
2011503968.tif 000002
【特許請求の範囲】
【請求項１】
ビデオ信号を送信する方法であって、
複数のスケーラブルレイヤを有するビデオ符号化信号を供給するため、信号にスケーラブルビデオ符号化を施すステップと、前記複数のスケーラブルレイヤのうちの１つは、他のスケーラブルレイヤよりも多くのランダムアクセスポイントを有するために選択され、
スケーラブルビデオ符号化信号を送信するステップと、
を含む方法。
【請求項２】
選択されたスケーラブルレイヤは、前記ビデオ符号化信号のベースレイヤである、
請求項１記載の方法。
【請求項３】
チャネルの切り替え又はあるチャネルへの同調を実行する装置で使用する方法であって、
複数のスケーラブルレイヤを含むスケーラブルビデオ符号化信号を受信するステップと、
多くのランダムアクセスポイントを有する依存性のレイヤに対する復号化を設定するステップと、前記依存性のレイヤは、現在の復号化レイヤであり、
ＩＤＲ（Instantaneous  Decoder  Refresh）スライスについて前記多くのランダムアクセスポイントを有するスケーラブルレイヤからのフレームをチェックするステップと、
前記多くのランダムアクセスポイントを有するスケーラブルレイヤにおけるＩＤＲスライスの検出に応じて、前記多くのランダムアクセスポイントを有するスケーラブルレイヤにおける前記符号化されたビデオを復号化するステップと、
ＩＤＲスライスの他のスケーラブルレイヤからのフレームをチェックするステップと、
前記現在の復号化レイヤの値よりも大きいdependency_idの値をもつ依存性のレイヤにおけるＩＤＲスライスの検出に応じて、前記依存性のレイヤにおける符号化されたビデオを復号化するステップと、
を含む方法。
【請求項４】
前記多くのランダムアクセスポイントを有するスケーラブルレイヤは、前記スケーラブルビデオ符号化信号のベースレイヤである、
請求項３記載の方法。
【請求項５】
複数のスケーラブルレイヤを有するビデオ符号化信号を供給するスケーラブルビデオエンコーダと、前記複数のスケーラブルレイヤのうちの１つは、他のスケーラブルレイヤよりも多くのランダムアクセスポイントを有するために選択され、
前記ビデオ符号化された信号の送信において使用される変調器と、
を含む装置。
【請求項６】
選択されるスケーラブルレイヤは、前記ビデオ符号化信号のベースレイヤである、
請求項５記載の装置。
【請求項７】
あるチャネルからスケーラブルビデオ符号化信号を供給する受信手段と、前記スケーラブルビデオ符号化信号は、１つのスケーラブルレイヤが他のスケーラブルレイヤよりも多くのランダムアクセスポイントを有するために選択される複数のスケーラブルレイヤを有し、
前記他のスケーラブルレイヤからのランダムアクセスポイントが利用可能になるまで、前記チャネルへの切り替え又は前記チャネルへの同調に応じて、多くのランダムアクセスポイントを有するために選択されたスケーラブルレイヤを復号化するプロセッサと、
を有する装置。
【請求項８】
前記選択されたスケーラブルレイヤは、前記スケーラブルビデオ符号化信号のベースレイヤである、
請求項７記載の装置。
【発明の詳細な説明】
【技術分野】
【０００１】
本発明は、たとえば地上波放送、セルラー方式、ワイヤレスフィデリティ（Ｗｉ−Ｆｉ）、サテライト等のような有線及び無線システムといった通信システムに関する。  
本出願は、2007年11月5日に提出された米国仮出願第61/001822号の利益を特許請求するものである。
【背景技術】
【０００２】
圧縮されたビデオビットストリームがワイヤレスネットワークのようなエラーを起こしやすい通信チャネルを通して伝送されるとき、ビットストリームの所定の部分は、破壊されるか又は失われる場合がある。係る誤りのあるビットストリームが受信機に到達し、ビデオデコーダによりデコードされるとき、再生の品質はひどく影響される可能性がある。ソースの誤り耐性の符号化は、この問題に対処するために使用される技術である。
【０００３】
ビデオブロードキャスト／マルチキャストシステムでは、ある圧縮されたビデオビットストリームは、セッションと呼ばれる指定された期間で同時にユーザのグループに伝送される。ビデオ符号化の予測の性質のため、あるビットストリームへのランダムなアクセスは、ビットストリーム内の所定のランダムアクセスポイントでのみ利用可能であり、これにより、正しい復号化は、これらランダムアクセスポイントから開始してのみ可能である。ランダムアクセスポイントは低い圧縮効率を一般に有するので、あるビットストリーム内には制限された数の係るポイントのみが存在する。結果として、あるユーザが彼の受信機をあるチャネルに同調してセッションに参加するとき、彼は、正しい復号化を開始させるため、受信されたビットストリームにおける次の利用可能なランダムアクセスポイントを待つ必要があり、これは、ビデオコンテンツの再生において遅延を生じさせる。係る遅延は、チューンイン遅延と呼ばれ、システムのユーザの経験に影響を及ぼす重要な要素である。
【０００４】
ビデオデリバリシステムでは、幾つかの圧縮されたビデオビットストリームは、共通の伝送媒体を共有するエンドユーザに伝送され、この場合、それぞれのビデオビットストリームは、あるプログラムチャネルに対応する。前のケースと同様に、あるユーザがあるチャネルから別のチャネルに切り替えるとき、彼は、復号化を正しく開始するため、そのチャネルから受信されたビットストリームにおける次の利用可能なランダムアクセスポイントを待つ必要がある。係る遅延は、チャネル切り替え遅延と呼ばれ、係るシステムにおけるユーザの経験に影響を及ぼす別の重要なファクタである。
【０００５】
挿入されたランダムアクセスポイントの利点は、ビデオ符号化の観点から圧縮されたビデオビットストリームの誤り耐性を改善することである。たとえば、あるビットストリームに挿入されるランダムアクセスポイントは、デコーダを周期的にリセットし、誤りの伝播を完全に停止し、これにより、エラーに対するビットストリームのロバスト性が改善される。
【０００６】
たとえば、Ｈ．２６４／ＡＶＣビデオ圧縮標準（たとえばITU-T  Recommendation  H.264：“Advanced  video  coding  for  generic  audiovisual  services”,  ISO/IEC  14496-10(2005)：“Information  Technology−Coding  of  audio-visual  objects  Part  10:  Advanced  Video  Coding”を参照されたい）を考慮して、ランダムアクセスポイント（スイッチングイネーブリングポイントとも呼ばれる）は、ＩＤＲ（Instantaneous  Decoder  Reflesh）スライス、イントラ符号化マクロブロック（ＭＢ）及びＳＩ（switching  I）スライスを含む符号化方法により実現される。
【０００７】
ＩＤＲスライスに関して、ＩＤＲスライスは、正しい復号化のために前のスライスに依存しないイントラ符号化ＭＢのみを含む。ＩＤＲスライスは、デコーダでデコーディングピクチャバッファをリセットし、これにより、後続のスライスの復号化は、ＩＤＲスライスの前のスライスとは独立である。正しい復号化はＩＤＲスライスの直後に利用可能であるので、瞬間的なランダムアクセスポイントとも呼ばれる。一方で、イントラ符号化ＭＢに基づいて段階的なランダムアクセスが実現される。多数の連続する予測ピクチャについて、イントラ符号化ＭＢは組織的に符号化され、これにより、これらのピクチャを符号化した後、後続するピクチャにおけるそれぞれのＭＢは、ピクチャのうちの１つにおいて、イントラ符号化され、共同で設置される対応物を有する。したがって、ピクチャの復号化は、ピクチャのセットの前の他のスライスに依存しない。同様に、ＳＩスライスは、このタイプの特別に符号化されたスライスをビットストリームに埋め込むことにより、異なるビットストリーム間の切り替えを可能にする。残念なことに、Ｈ．２６４／ＡＶＣでは、ＩＤＲスライス又はＳＩスライスの共通の問題点は、符号化効率のロスである。一般に、かなりの量のビットレートオーバヘッドがスイッチングポイントを埋め込むために支払われる必要がある。
【０００８】
同様に、スケーラブルビデオ符号化（ＳＶＣ）においてランダムアクセスポイントが使用される。ＳＶＣにおいて、依存の表現は、多数のレイヤ表現から構成される場合があり、アクセスユニットは、１つのフレーム番号に対応する全ての依存性の表現から構成される（たとえばY-K.Wang，M.Hannuksela，S.Pateux，A.Eleftheraidis及びS.Wenger，“System  and  transport  interface  of  SVC”，IEEE  Trans.  Circuits  and  Systems  for  Video  Technology，vol.17，no.9，Sept2007，pp.1149-1163;  並びに、H.Schwarz，D.Marpe及びT.Wiegand，“Overview  of  the  scalable  video  coding  extension  of  the  H.264/AVC  standard”，IEEE  Trans.  Circuits  and  Systems  for  Video  Technology，vol.17，no.9，Sept2007，pp.1103-1120を参照されたい）。
【発明の概要】
【発明が解決しようとする課題】
【０００９】
ランダムアクセスポイントを埋め込むためのＳＶＣの一般的な方法は、ＩＤＲスライスを使用してアクセスユニットを完全に符号化することである。図１に例が示される。図１のＳＶＣ符号化信号は、２つの依存性の表現を有しており、それぞれの依存性の表現は、１つのレイヤ表現を有する。特に、ベースレイヤは、Ｄ＝０と関連されており、エンハンスメントレイヤは、Ｄ＝１と関連される（“Ｄ”の値は、当該技術分野において“dependency_id”とも呼ばれる）。図１は、ＳＶＣ信号のフレームにおいて生じる９つのアクセスユニットを例示する。破線のボックス１０により例示されるように、アクセスユニット１は、第一のレイヤのＩＤＲスライス（Ｄ＝１）及びベースレイヤのＩＤＲスライス（Ｄ＝０）を有する。後続のアクセスユニットは、２つの予測された（Ｐ）スライスを有する。アクセスユニット１，５及び９のみがＩＤＲスライスを有することが図１から観察される。係るように、ランダムアクセスは、これらのアクセスポイントで行われる。しかし、Ｈ．２６４／ＡＶＣの場合のように、ＩＤＲスライスで符号化されたそれぞれのアクセスユニットは、ＳＶＣの符号化効率を減少させる。
【課題を解決するための手段】
【００１０】
本発明の原理によれば、ビデオ信号を送信する方法は、複数のスケーラブルレイヤを含むビデオ符号化信号を供給するために信号にスケーラブルビデオ符号化を施すステップを含み、スケーラブルレイヤのうちの１つは、他のスケーラブルレイヤよりも多くのランダムアクセスポイントを有するように選択される。また、本方法は、スケーラブルビデオ符号化された信号を送信するステップを含む。結果として、ビデオエンコーダは、圧縮されたビデオビットストリームに更なるスイッチングイネーブルポイントを埋め込むことで、受信機におけるチューンイン遅延及びチャネル切り替え遅延を低減することができる。
【００１１】
本発明の例示的な実施の形態では、ＳＶＣ信号は、ベースレイヤ及びエンハンスメントレイヤを有し、ベースレイヤは、エンハンスメントレイヤよりも多くのランダムアクセスポイントを有するように選択される。  
上述された観点で、詳細な説明を読むことから明らかであるように、他の実施の形態及び特徴も可能であり、本発明の原理に含まれる。
【図面の簡単な説明】
【００１２】
【図１】ＩＤＲ（Instantaneous  Decoder  Refresh）スライスを有する従来技術のスケーラブルビデオ符号化（ＳＶＣ）信号を示す。
【図２】ＳＶＣ符号化で使用される本発明の原理に係る例示的なフローチャートである。
【図３】本発明の原理に係る装置の例示的な実施の形態を示す図である。
【図４】本発明の原理に係る例示的なＳＶＣ信号を示す図である。
【図５】本発明の原理に係る別の例示的なフローチャートである。
【図６】本発明の原理に係る別の例示的な装置を示す図である。
【発明を実施するための最良の形態】
【００１３】
本発明の概念以外に、図に示されるエレメントは、公知であって詳細に説明されない。たとえば、本発明の概念以外に、（直交周波数分割多重化（ＯＦＤＭ）、又は符号化直交周波数分割多重（ＣＯＦＤＭ）とも呼ばれる）ＤＭＴ（Discrete  Multitone  Transmission）に精通していることが想定され、本実施の形態では説明されない。また、テレビジョンブロードキャスティング、テレビジョンレシーバ及びビデオ符号化に精通していることが想定され、本実施の形態では説明されない。たとえば、本発明の概念以外に、ＮＴＳＣ（National  Television  Systems  Committee）、ＰＡＬ（Phase  Alternation  Lines）、ＳＥＣＡＭ（SEquential  Couleur  Avec  Memoire）、及びＡＴＳＣ（Advanced  Television  Systems  Committee）、Chinese  Digital  Television  Systems（GB）20600-2006及びＤＶＢ−Ｈのような現在及び提案されるＴＶ標準の勧告に精通していることが想定される。同様に、本発明の概念以外に、８レベル残留側波帯（８ＶＳＢ）、直交振幅変調（ＱＡＭ）のような他の送信の概念、（ロウノイズブロック、チューナ、ダウンコンバータ等のような）無線周波（ＲＦ）フロントエンド、復調器、相関器、リークインテグレータ及び平方器のようなレシーバコンポーネントが想定される。さらに、本発明の概念以外に、ＦＬＵＴＥ（File  Delivery  over  Unidirectional  Transport）プロトコル、ＡＬＣ（Asynchronous  Layered  Coding）プロトコル、インターネットプロトコル（ＩＰ）及びＩＰＥ（Internet  Protocol  Encapsulator）のようなプロトコルに精通していることが想定され、本実施の形態では記載されない。同様に、本発明の概念以外に、トランスポートビットストリームを生成する（ＭＰＥＧ（Moving  Picture  Expert  Group）−２システム標準（ISO/IEC13818-1）及び上述されたＳＶＣのような）フォーマット及び符号化方法は、公知であり、本実施の形態では説明されない。なお、本発明の概念は、コンベンショナルなプログラミング技術を使用して実現される場合があり、本実施の形態では記載されない。最後に、図面において同じ参照符号は同じエレメントを表している。
【００１４】
上述されたように、レシーバがはじめにオンにされたとき、又はチャネル切り替えの間、或いは、たとえ同じチャネル内でサービスを変えただけの場合であっても、レシーバは、受信されたデータを処理することができる前に、必要とされる初期化データを更に待つ必要がある。結果として、ユーザは、サービス又はプログラムにアクセスできる前に更なる時間量を待つ必要がある。
【００１５】
ＳＶＣでは、ＳＶＣ信号は、多数の依存性の（空間）レイヤを有し、それぞれの依存性のレイヤは、同じdependency_id値をもつＳＶＣ信号の１以上のスケーラブルレイヤから構成される。ベースレイヤは、ビデオ信号の解像度の最小レベルを表す。他のレイヤは、ビデオ信号の解像度の増加するレイヤを表す。たとえば、ＳＶＣ信号が３つのレイヤを有する場合、ベースレイヤ、レイヤ１及びレイヤ２が存在する。それぞれのレイヤは、異なるdependency_idの値と関連される。レシーバは、（ａ）ベースレイヤ、（ｂ）ベースレイヤ及びレイヤ１又は（ｃ）ベースレイヤ、レイヤ１及びレイヤ２を処理することができる。たとえば、ＳＶＣ信号は、ベース信号の解像度をサポートする装置により受信され、このタイプの装置は、受信されたＳＶＣ信号の他の２つのレイヤをシンプルに無視する。逆に、最も高い解像度をサポートする装置について、このタイプの装置は、受信されたＳＶＣ信号の全ての３つのレイヤを処理することができる。
【００１６】
ＳＶＣでは、ＩＤＲピクチャの符号化は、それぞれのレイヤに独立に行われる。係るように、本発明の原理によれば、ビデオ信号を送信する方法は、複数のスケーラブルレイヤを含むビデオ符号化信号を供給するために信号にスケーラブルビデオ符号化を施すことを含み、スケーラブルレイヤのうちの１つは、他のスケーラブルレイヤよりも多くのランダムアクセスポイントを有するために選択され、本方法は、スケーラブルビデオ符号化信号を送信することを含む。したがって、ターゲットとされる依存性のレイヤにおいて多くのＩＤＲスライスが符号化されるとき、ビデオエンコーダは、レシーバにおけるチューンイン遅延及びチャネル切り替え遅延を低減することができる。
【００１７】
本発明の例示的な実施の形態では、ＳＶＣ信号は、ベースレイヤとエンハンスメントレイヤを含み、ベースレイヤは、エンハンスメントレイヤよりも多くのランダムアクセスポイントを有するように選択される。本発明の概念は多くのランダムアクセスポイントを有するようにベースレイヤを選択する文脈において例示されるが、本発明の概念は、そのように限定されず、別のスケーラブルレイヤを代わりに選択することができる。
【００１８】
本発明の原理に係る例示的なフローチャートは、図２に示される。図３にも注意が向けられ、図３は、本発明の原理に係るビデオ信号を符号化する例示的な装置２００を示す。本発明の概念に関連する部分のみが示される。装置２００は、プロセッサに基づいたシステムであり、図３における破線のボックスの形式で示されるプロセッサ２４０とメモリ２４５とにより表されるように、１以上のプロセッサと関連するメモリとを有する。この文脈では、コンピュータプログラム又はソフトウェアは、プロセッサ２４０による実行のためにメモリ２４５に記憶され、たとえばＳＶＣエンコーダ２０５を実現する。プロセッサ２４０は、１以上のプログラム内蔵式制御プロセッサを表し、これらは、送信機の機能の専用とされる必要がなく、たとえば、プロセッサ２４０は、送信機の他の機能を制御する場合がある。メモリ２４５は、たとえばランダムアクセスメモリ（ＲＡＭ）、リードオンリメモリ（ＲＯＭ）等といった記憶装置を表し、送信機の内部及び／又は外部にあり、必要に応じて揮発性及び／又は不揮発性である。
【００１９】
装置２００は、ＳＶＣエンコーダ２０５及び変調器２１０を有する。ビデオ信号２０４は、ＳＶＣエンコーダ２０５に印加される。ＳＶＣエンコーダは、本発明の原理に従ってビデオ信号２０４をエンコードし、ＳＶＣ信号２０６を変調器２１０に供給する。変調器２１０は、（共に図３に示されない）アップコンバータ及びアンテナを介して送信のために変調された信号２１１を供給する。
【００２０】
図２を参照して、ステップ１０５では、図３のプロセッサ２４０は、ビデオ信号２０４を、ベースレイヤと少なくとも１つの他のレイヤを有するＳＶＣ信号２０６にエンコードする。特に、ステップ１１０では、ＩＤＲスライスがＳＶＣ信号２０６の他のレイヤよりも頻繁にベースレイヤに挿入されるように、プロセッサ２４０は、（たとえば図３における破線の形式で示される信号２０７を介して）図３のＳＶＣエンコーダ２０５を制御する。特に、異なる空間レイヤで異なるＩＤＲインターバルを規定する符号化パターンＩＢＢＰ又はＩＰＰＰのように規定する符号化パラメータは、ＳＶＣエンコーダ２０５に印加される。ステップ１１５で、図３の変調器２１０は、ＳＶＣ信号を送信する。
【００２１】
図４を参照して、図２のフローチャートに従う図３のＳＶＣエンコーダ２０５により形成される例示的なＳＶＣ信号２０６が示される。この例では、ＳＶＣ信号２０６は、ベースレイヤ（Ｄ＝０）及びエンハンスメントレイヤ（Ｄ＝１）である２つのレイヤを有する。図４から観察されるように、ベースレイヤは、アクセスユニット１，４，７及び９においてＩＤＲスライスを有し、エンハンスメントレイヤは、アクセスユニット１及び９においてＩＤＲスライスを有する。係るように、矢印３０１により例示されるように時間ＴcでＳＶＣ信号２０６を伝送するチャネルに受信装置が切り替えたとき（最初の同調）、受信装置は、ＳＶＣ信号２０６のベースレイヤの復号化を開始し、低減された解像度のビデオピクチャをユーザに供給することができる前に、矢印３０２により表されるように時間Ｔwを待つ必要がある。したがって、レシーバは、より多くのランダムアクセスポイントを有するベースレイヤのビデオ符号化信号を即座に復号化することで、チューイン遅延とチャネル切り替え遅延とを低減することができる。図４から更に観察されるように、レシーバは、エンハンスメントレイヤを復号化し、より高い解像度のビデオピクチャをユーザに供給することができる前に、矢印３０３により表されるように時間Ｔdを待つ必要がある。
【００２２】
両方のレイヤが同じＩＤＲ周波数を有する図１に示される例と比較したとき、本発明の概念は、制限されたパフォーマンスのロスによる低いビットレートで、同じセットの機能の改善を実現する能力を提供する。これは、ベースレイヤがビットストリームの全体のビットレートのごく一部のみを採用するときに特に当てはまる。たとえば、ベースレイヤ（Ｄ＝０）としてのＣＩＦ（Common  Intermediate  Format）（７２０×２８８）の解像度、エンハンスメントレイヤ（Ｄ＝１）としてのＳＤ（Standard  Definition）（７２０×４８０）の解像度について、ベースレイヤは、全体のビットレートの僅かなパーセンテージ（たとえば２５％前後）のみを採用する。したがって、ＣＩＦ解像度でＩＤＲ周波数を増加することで、ビットレートのオーバヘッドは、エンハンスメントレイヤのみで又は両方のレイヤでＩＤＲ周波数を増加することに比較して少ない。
【００２３】
ＳＶＣでは、エンハンスメントレイヤがベースレイヤ上に有するレイヤ間の予測の依存性のため、最初のターゲットとされる依存性の表現期間のパフォーマンスのロスを緩和することができる。たとえば、上述されたように、図４では、チャネル切り替え又は周波数の同調（チューンイン）がアクセスユニット番号３で生じたとき、デコーダは、アクセスユニット番号９までベースレイヤビットストリームを正しく復号化する。しかし、デコーダは、エンハンスメントレイヤの品質でビデオを再構成するのを助けるため、対応するエンハンスメントレイヤのアクセスユニットに含まれる情報を利用することができる。
【００２４】
なお、復号化の複雑度を低減するため、シングルループ復号化がＳＶＣ標準で規定されている。シングルループ復号化を可能にするため、エンコーダは、制約されたレイヤ間予測を採用する。これにより、エンハンスメントレイヤマクロブロック（ＭＢ）についてレイヤ間のイントラ予測の使用のみが可能とされ、このエンハンスメントレイヤマクロブロックに対して、共に位置される参照レイヤ信号がイントラ符号化される。参照レイヤのイントラ符号化されたＭＢを再構築するとき、インター符号化されたＭＢの再構築を回避するため、上位レイヤのレイヤ間予測のために使用される全てのレイヤは、制約されたイントラ予測を使用して符号化されることが更に必要とされる。
【００２５】
本発明の原理によれば、ＩＤＲピクチャにおける増加は、ベースレイヤにおけるイントラ符号化されたＭＢの数を増加させる。それが有益であるとき、ベースレイヤＩＤＲピクチャにおけるイントラ符号化されたＭＢは制約されたイントラ予測により強制的に符号化される。結果的に、エンハンスメントレイヤは、ベースレイヤからのレイヤ間のイントラ予測のため、より多くのイントラ符号化されたＭＢを有することができ、これにより、その符号化効率が潜在的に改善される。ベースレイヤでの係る符号化されたＩＤＲピクチャにより、エンハンスメントレイヤでの高い符号化効率を得ることができる。ゲインは、ベースレイヤで符号化された余分のＩＤＲピクチャのため、ビットレートの増加を相殺する。
【００２６】
ここで図５を参照して、本発明の原理に係るＳＶＣ信号を受信する例示的な装置が示される。本発明の概念に係る部分のみが示される。装置３５０は、（たとえば図３の装置２００により送信された信号の受信されたバージョンである）受信された信号３１１により表されるように、本発明の原理に従うＳＶＣ信号を伝送する信号を受信する。装置３５０は、たとえば携帯電話、モバイルＴＶ、セットトップボックス、デジタルＴＶ（ＤＴＶ）等を表す。装置３５０は、受信機３５５、プロセッサ３６０及びメモリ３６５を有する。かかるように、装置３５０は、プロセッサに基づいたシステムである。受信機３５５は、ＳＶＣ信号を伝達するチャネルに同調するフロントエンド及び復調器を表す。受信機３５５は、信号３１１を受信し、そこから信号３５６を回復する。この信号３５６は、プロセッサ３６０により処理され、すなわちプロセッサ３６０は、ＳＶＣ復号化を実行する。たとえば、本発明の原理に係るチャネル切り替え及びチャネルチューンインのための図６に示されるフローチャートによれば、プロセッサ３６０は、パス３６６を介してメモリ３６５に復号化されたビデオを供給する。復号化されたビデオは、装置３５０の一部であるか、又は装置３５０とは個別のディスプレイ（図示せず）に印加するためにメモリ３６５に記憶される。
【００２７】
図６を参照して、装置３５０における使用のために本発明の原理に係る例示的なフローチャートが示される。チャネルの切り替え又はあるチャネルへの同調に応じて、プロセッサ３６０は、最初の目標とされる依存性のレイヤへの復号化を設定する。この例では、これは、ステップ４０５において受信されたＳＶＣ信号のベースレイヤにより表される。しかし、本発明の概念はそのように限定されず、他の依存性のレイヤは、他の依存性のレイヤよりも多くのランダムアクセスポイントを有する限り、「最初にターゲットとされるレイヤ」として指定される。ステップ４１０では、プロセッサ３６０は、受信されたアクセスユニット（当該技術分野では、受信されたＳＶＣ  ＮＡＬ（Network  Abstraction  Layer）ユニットとも呼ばれる）からベースレイヤフレームを受信し、ステップ４１５では、受信されたベースレイヤフレームがＩＤＲスライスであるかをチェックする。ＩＤＲスライスではない場合、プロセッサ３６０は、次のベースレイヤフレームを受信するためにステップ４１０に戻る。しかし、受信されたベースレイヤフレームがＩＤＲスライスである場合、プロセッサ３６０は、低減された解像度であるがビデオ信号を供給するＳＶＣベースレイヤの復号化を開始する。次いで、プロセッサ３６０は、ステップ４２５で、受信されたアクセスユニットからエンハンスメントレイヤのフレームを受信し、ステップ４３０で、受信されたエンハンスメントレイヤのフレームがＩＤＲスライスであるかをチェックする。ＩＤＲスライスではない場合、プロセッサ３６０は、次のエンハンスメントレイヤのフレームを受信するためにステップ４２５に戻る。しかし、受信されたエンハンスメントレイヤフレームがＩＤＲスライスである場合、プロセッサ３６０は、より高い解像度でビデオ信号を供給するため、ステップ４３５におけるＳＶＣエンハンスメントレイヤの復号化を開始する。言い換えれば、現在の復号化レイヤの値よりも大きいdependency_idの値をもつ依存性のレイヤにおけるＩＤＲスライスの検出に応じて、受信機は、検出されたＩＤＲスライスをもつ依存性のレイヤにおける符号化ビデオを復号化する。さもなければ、受信機は、現在の依存性のレイヤを復号化し続ける。なお、ベースレイヤからのＩＤＲがないとしても、エンハンスメントレイヤからのＩＤＲがあれば、エンハンスメントレイヤの復号化を開始することができる。
【００２８】
なお、図６のフローチャートは、装置３５０による上位レイヤの処理を表す。たとえば、ステップ４２０においてベースレイヤの復号化がひとたび開始されると、これは、ステップ４２５及び４３０においてプロセッサ３５０がＩＤＲスライスについてエンハンスメントレイヤをチェックするとしても、プロセッサ３５０により継続される。同様に、ステップ４１５において、ベースレイヤがＩＤＲスライスについてチェックされ、次いで、ステップ４３０において、エンハンスメントレイヤがＩＤＲスライスについてチェックされる。これらは、たとえばチャネル切り替え又はチューンインが図４の矢印３０９により表される時間で生じた場合に同じアクセスユニットからであり、この場合、次のアクセスユニット９は、両方のレイヤにおいてＩＤＲスライスを有する。最後に、ベースレイヤと１つのエンハンスメントレイヤの文脈で例示されたが、図６のフローチャートは、１を超えるエンハンスメントレイヤに容易に拡張することができる。
【００２９】
上述されたように、本発明の原理によれば、スケーラブルビデオ符号化のピクチャタイプのコンフィギュレーションの方法が記載された。本発明の概念は、ＭＰＥＧ−ＳＶＣにより生成される圧縮されたビットストリームの誤り耐性を改善する（たとえば、ＩＴＵ−Ｔ  Recommendation  H.264  Amendment  3:  “Advanced  video  coding  for  generic  audiovisual  services:  Scalable  Video  Coding”）。さらに、上述されたシステムが本発明の原理に従って符号化された係るビットストリームを伝送するとき、チューンイン遅延及びチャネル切り替え遅延を低減することができる。なお、本発明の概念は２レイヤの空間スケーラブルＳＶＣビットストリームの環境で記載されたが、本発明の概念はそのように限定されず、ＳＶＣ標準で規定されるＳＮＲ（信号対雑音比）スケーラビリティと同様に多数のスケーラブルレイヤに適用することができる。
【００３０】
上述の内容を考慮して、上述した内容は本発明の原理を単に例示したものであって、当業者は、本明細書に明示的に記載されていないが、本発明の原理を実施するものであって、本発明の範囲及び精神に含まれるものである様々な代替となる構成を創作することができる。たとえば、個別の機能エレメントの文脈で例示されるが、これら機能エレメントは、１以上の集積回路（ＩＣ）で実施される場合がある。同様に、個別のエレメントとして図示されているが、一部又は全部のエレメントは、たとえば図２及び図６等に示される１以上のステップに対応する関連するソフトウェアを実行するデジタルシグナルプロセッサであるプログラム内蔵型制御プロセッサで実現される場合がある。さらに、本発明の原理は、たとえばサテライト、ワイヤレスフィデリティ（Ｗｉ−Ｆｉ）、セルラー等といった他のタイプの通信システムに適用可能である。確かに、本発明の概念は、静止型受信機又は移動型受信機にも適用可能である。したがって、様々な変更が例示的な実施の形態になされ、特許請求の範囲により定義される本発明の精神及び範囲から逸脱することなしに他の構成が創作される場合があることを理解されたい。
【図１】
2011503968.tif 000003
【図２】
2011503968.tif 000004
【図３】
2011503968.tif 000005
【図４】
2011503968.tif 000006
【図５】
2011503968.tif 000007
【図６】
2011503968.tif 000008
【国際調査報告】
2011503968.tif 000009
2011503968.tif 000010
2011503968.tif 000011